(57)【特許請求の範囲】
【請求項１】
内容物を収納する容器本体と、該容器本体に装着され内容物を噴射する噴射手段と、該内容物の噴射方向と略同方向に光を照射孔から照射する光照射手段と、前記照射孔の下方に位置するレバーを備える操作部と、を備える殺虫剤用の噴射容器において、
前記噴射手段は、前記容器本体の上端に設けられた噴射ボタンと、該噴射ボタンに接続された噴射ノズルとを備え、
前記操作部は、前記噴射ボタンの上方に位置し、かつ前記噴射ボタンの上方に設けられた照射スイッチを介して前記噴射ボタンと接続されている殺虫剤用の噴射容器。
【請求項２】
前記光照射手段は、ＬＥＤを光源とする、請求項１に記載の殺虫剤用の噴射容器。
【請求項３】
前記光照射手段は、５００〜７５０ｎｍの光を照射する、請求項１又は２に記載の殺虫剤用の噴射容器。
【請求項４】
請求項１〜３のいずれか一項に記載の殺虫剤用の噴射容器に殺虫剤を充填した容器入り殺虫剤。
【発明の詳細な説明】
【技術分野】
【０００１】
本発明は、噴射容器及び容器入り殺虫剤に関する。
【背景技術】
【０００２】
一般に、エアゾール式の噴射容器に殺虫剤を充填した容器入り殺虫剤が知られている。この容器入り殺虫剤は、噴射孔が形成された噴射ボタンを押下することで、ゴキブリ、ハエ、カ等の衛生害虫に向けて殺虫剤を噴射するものである。
容器入り殺虫剤の使用者には、衛生害虫、特にゴキブリの駆除に当たって、できるだけ遠距離から殺虫剤を噴射し、確実にゴキブリの駆除をしたいという要求がある。
【０００３】
このような要求に対し、１回に噴射する殺虫剤を増量したり、即効性の高い殺虫剤を使用したり、殺虫剤の噴射距離を延ばす等の工夫がなされてきたものの、ゴキブリの動きが素早いために、噴射した殺虫剤がゴキブリに当たりにくいという問題があった。加えて、ゴキブリは、暗所や家具の隙間等の狭小部に潜むことが多く、目測では殺虫剤の噴射方向を定めにくいという問題があった。さらに、一方の手で容器入り殺虫剤を持ち、他方の手で懐中電灯等の照明器具を操作しながら殺虫剤を噴射すると、殺虫剤の噴射方向と照明器具の照射方向とが必ずしも一致せず、ゴキブリに殺虫剤を正確に噴射できないという問題があった。
こうした問題に対し、照準器を備えるスプレー式殺虫剤が提案されている（例えば、特許文献１）。
【先行技術文献】
【特許文献】
【０００４】
【特許文献１】実開平２−９１６６４号公報
【発明の概要】
【発明が解決しようとする課題】
【０００５】
しかしながら、特許文献１の技術は、照準器を覗き込みながら殺虫剤を噴射するものであり、使用者がスプレー式殺虫剤に顔を近づけた状態で噴射ボタンを押下するため、操作が煩雑である。加えて、使用者は、駆除対象からできるだけ離れたいにもかかわらず、照準器を覗き込むことで、駆除対象に顔を近づけることとなる。さらに、暗所や狭小部に潜む駆除対象を目視で確認するのは困難である。
そこで、暗所や狭小部でも、内容物を正確に噴射できる噴射容器及び容器入り殺虫剤を目的とする。
【課題を解決するための手段】
【０００６】
本発明の噴射容器は、内容物を収納する容器本体と、該容器本体に装着され内容物を噴射する噴射手段と、該内容物の噴射方向と略同方向に光を照射する光照射手段とを備えることを特徴とする。前記光照射手段は、ＬＥＤを光源とすることが好ましい。
【０００７】
本発明の容器入り殺虫剤は、本発明の前記噴射容器に殺虫剤を充填したことを特徴とする。前記光照射手段は、５００〜７５０ｎｍの光を照射することが好ましい。
【発明の効果】
【０００８】
本発明の噴射容器によれば、容器本体に装着され内容物を噴射する噴射手段と、該内容物の噴射方向と略同方向に光を照射する光照射手段とを備えているため、暗所や狭小部でも、内容物を正確に噴射できる
本発明の噴射容器によれば、光照射手段の光源がＬＥＤであるため、小型化できる。
【０００９】
本発明の容器入り殺虫剤によれば、本発明の前記噴射容器に殺虫剤が充填されているため、暗所や狭小部でも、駆除対象に内容物を正確に噴射できる。
本発明の容器入り殺虫剤によれば、光照射手段が５００〜７５０ｎｍの光を照射するため、駆除対象に内容物を容易に噴射できる。
【図面の簡単な説明】
【００１０】
【図１】本発明の一実施形態にかかる噴射容器の斜視図である。
【図２】本発明の一実施形態にかかる噴射容器の部分断面図である。
【図３】本発明の一実施形態にかかる噴射容器の部分断面図である。
【図４】本発明の一実施形態にかかる噴射容器の部分断面図である。
【発明を実施するための形態】
【００１１】
本発明の一実施形態にかかる噴射容器について、以下に図１〜２を参照して説明する。図１に示すように、噴射容器１は、有底円筒状の胴部３４及び胴部３４の上部に縮径した口部３２からなる容器本体３と、口部３２に装着された噴射ユニット２とを備えるものであり、例えば、殺虫剤、洗浄剤、潤滑剤等の液体の内容物を噴射するものである。なお、説明の便宜上、噴射ユニット２側を上方、容器本体３側を下方として説明する。
【００１２】
噴射ユニット２は、口部３２と嵌合する嵌合部２３と、操作部１０と、噴射孔２１が形成された噴射ノズル２２とを備えるものである。嵌合部２３の上方には、２枚の支持板２４が立設され、操作部１０が支持軸２６により支持板２４に軸支されている。
図２に示すように、噴射ノズル２２は、口部３２に備えられた噴射ボタン３８に接続され、噴射ボタン３８を押下した際に、容器本体３内の内容物を噴射方向Ｆで噴射するものである。噴射ボタン３８の上方には、照射スイッチ３６が備えられ、操作部１０と噴射ボタン３８とは、照射スイッチ３６を介して接続されている。
【００１３】
操作部１０は、照射部１１と、照射部１１の下方に延設されたレバー２０とを備えるものであり、レバー２０を操作した際に、支持軸２６を軸として回動可能とされたものである。照射部１１には、略円形の開口部である照射孔１２と、照射孔１２に続く導光路１３とが形成され、導光路１３内には、照射孔１２の近傍に位置する集光レンズ１４、及び集光レンズ１４を挟み照射孔１２と反対側に位置する光源１５が備えられている。光源１５は電池１６及び照射スイッチ３６と電気的に接続されている。
【００１４】
本実施形態において、「噴射手段」は、噴射ノズル２２と、噴射ボタン３８とで構成されている。
本実施形態において、「光照射手段」は、照射孔１２と、導光路１３と、集光レンズ１４と、光源１５とで構成されており、照射孔１２から照射される光の照射方向Ｓが、噴射方向Ｆと略同方向とされたものである。ここで、「略同方向」とは、噴射対象に内容物を有効に噴射できる距離（有効噴射距離）において、照射部１１から照射された光の広がり（照射範囲）の中心が、噴射ノズル２２から内容物を噴射した際の内容物の広がり（噴射範囲）の中に入ることをいう。例えば、内容物が殺虫剤である場合、通常、噴射ノズル２２の先端と駆除対象との距離が５０〜１００ｃｍとされる。このため、照射方向Ｓと噴射方向Ｆとは、噴射ノズル２２の先端から５０〜１００ｃｍの距離で、照射範囲の中心が、噴射範囲内に位置するように設定されるのが好ましい。
有効噴射距離は、用途に応じて決定でき、例えば、内容物が殺虫剤である場合、噴射ノズル２２の先端から、例えば、２０〜１２０ｃｍの距離とされる。なお、有効噴射距離は、噴射ノズル２２の長さや、内容液中の噴射剤の割合を調節することにより、任意の距離に設定できる。
噴射範囲は、噴射孔２１の孔径や形状、内容液中の噴射剤の割合により、任意に設定される。
照射範囲は、光源１５の種類や、集光レンズ１４の種類を変えることで、任意に設定される。
【００１５】
容器本体３は、従来、エアゾール容器として用いられるものであればよく、例えば、ブリキ等の金属製、樹脂製、ガラス製の耐圧容器が挙げられる。
【００１６】
照射孔１２の孔径Ｒ（図２）は、特に限定されず、例えば、２〜１５ｍｍとされる。
【００１７】
光源１５は、特に限定されず、例えば、ＬＥＤ（発光ダイオード）、ハロゲンランプ、白熱電球等が挙げられ、中でもＬＥＤが好ましい。ＬＥＤであれば、照射部１１を小型にできる。加えて、特定の波長の光を照射でき、例えば、内容物を殺虫剤とする場合、紫外線領域の光を排除することで、駆除対象の紫外線に対する忌避行動を防止できる。
光源１５が発する光は、用途に応じて決定でき、例えば、内容物を殺虫剤とする場合、駆除対象となる衛生害虫の忌避性等を勘案して決定できる。例えば、駆除対象がゴキブリである場合、白色光、赤色光、橙色光、黄色光、緑色光が好ましく、中でも、５００〜７５０ｎｍである緑色〜黄色〜赤色がより好ましく、５６０〜７００ｎｍがさらに好ましい。このような波長の光源を用いることで、光を照射した際のゴキブリの忌避行動を防止し、内容物をゴキブリに噴射できる。
【００１８】
集光レンズ１４は、光源１５が発する光を任意の範囲に集光できるものであればよい。通常、有効噴射距離内において、噴射された内容物は、噴射範囲の中心で濃度が高くなっている。このため、照射範囲が広すぎると、噴霧範囲の中心を噴射対象に当てにくくなる。一方、照射範囲が狭すぎると、暗所や狭小部で、噴射対象に照準を合わせにくくなる。従って、照射範囲は、用途、有効噴射距離、噴射範囲等を勘案して決定でき、例えば、内容物を殺虫剤とする場合、噴射ノズル２２の先端から５０〜１００ｃｍの距離で、直径１〜３０ｃｍが好ましく、５〜２０ｃｍがより好ましい。
【００１９】
容器本体３に収納される内容物は、殺虫剤、忌避剤、洗浄剤、殺菌剤又は潤滑剤等と噴射剤とを含有するものであり、中でも、殺虫剤及び噴射剤を含有するものが好ましい。本発明は、暗所や狭小部に潜む衛生害虫の駆除において、その効果が顕著に現れる。
殺虫剤は、ゴキブリ、ハエ、蚊、ダニ、ノミ、シラミ、ムカデ等の害虫に致死作用等を有す有効成分を含有するものであり、有効成分としては従来公知の合成又は天然の各種化合物を任意に使用できる。例えば、ジョチュウギクエキス、ピレトリン、アレスリン、ｄｌ，ｄ−Ｔ８０−アレスリン、フタルスリン、ｄ−Ｔ８０−フタルスリン、レスメトリン、ｄ−Ｔ８０−レスメトリン、フラメトリン、ｄ−Ｔ８０−フラメトリン、フェノトリン、ペルメトリン、エトフェンプロックス、ｄ−Ｔ８０−シフェノトリン、ｄ・ｄ−Ｔ−シフェノトリン、ｄ・ｄ−Ｔ−プラレトリン、ＥＺ−エンペントリン、シフルトリン、イミプロトリン、トランスフルトリン、メトフルトリン、エキスリン、テラレスリン、サイパーメスリン等のピレスロイド系殺虫剤、カルバリル、プロポクスル等のカーバメート系殺虫剤、メトキサジアゾン等のオキサジアゾール系殺虫剤、フェニトロチオン、マラチオン等の有機リン系殺虫剤、メトプレン、ジフルベンズロン、ピリプロキシフェン等のＩＧＲ剤（昆虫生育阻害剤）、フィプロニル、アミドフルメト、ヒドラメチルノン、３−ヨード−２−プロピニルブチルカーバメート、安息香酸ベンジル、安息香酸フェニル、サリチル酸ベンジル、サリチル酸フェニル、３−ブロモ−２，３−ジヨード−２−プロペニル−エチルカルボナート、４−クロルフェニール−３−ヨードプロパギルホルマール等が挙げられる。これらは１種単独又は２種以上を適宜組み合わせて用いることができる。
【００２０】
忌避剤は、害虫に忌避作用を有する有効成分を含有するものであり、有効成分としては、ＤＥＥＴ、ＩＲ−３５３５、メチルウンデシルケトン、ネロリドール、ピネン、ユーカリプトール、シトロネラール、カンファー、リナロール、ゲラニオール、ｐ−メンタン−３，８−ジオール、テルピネオール、２−エチル−１，３−ヘキサンジオール、シンナミックアルデヒド、オイゲノール、ピレスロイド等の忌避剤、ユーカリ、シナモン、シトロネラ、クローブ、月桂樹、松、ペパーミント、ゼラニウム、ヒバ、レモングラス等から取られる精油、抽出液等が挙げられる。これらは１種単独又は２種以上を適宜組み合わせて用いることができる。
【００２１】
殺虫剤又は忌避剤に用いる溶媒は、特に限定されないが、例えば、水や、メタノール、エタノール、２−プロパノール等のアルコール類、エチレングリコール、プロピレングリコール等のグリコール類、エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル、プロピレングリコールモノエチルエーテル、ジプロピレングリコールモノメチルエーテル、ヘキシレングリコール等のアルキレングリコールアルキルエーテル類、ステアリン酸メチル、ステアリン酸エチル、アジピン酸ジイソプロピル、アジピン酸ジイソブチル、乳酸メチル、乳酸エチル、乳酸ブチル、ミリスチン酸イソプロピル、ミリスチン酸ｎ−ブチル、ミリスチン酸イソブチル等の有機酸エステル、アセトン、メチルエチルケトン、メチルイソブチルケトン等のケトン類、炭酸プロピレン等の環状エステル類、ヘキサン、ペンタン、イソペンタン、シクロペンタン、灯油等の脂肪族炭化水素類、炭酸ジメチル、炭酸ジエチル、Ｎ−メチル−２−ピロリドン、Ｎ−エチル−２−ピロリドン、γ−ブチロラクトン等が挙げられる。
これらの溶媒は、１種単独又は２種以上を適宜組み合わせて用いることができる。
【００２２】
洗浄剤としては、従来公知の洗浄剤を用いることができ、例えば、アニオン性界面活性剤、ノニオン性界面活性剤、カチオン性界面活性剤等の界面活性剤の水分散液等が挙げられる。
【００２３】
殺菌剤としては、エタノール又はその水溶液、４級アンモニウム塩等のカチオン性界面活性剤、次亜塩素酸ナトリウム等の水分散等が挙げられる。
【００２４】
潤滑剤としては、例えば、ひまし油、菜種油等の植物油、シリコーン油等の合成油、鉱物油等、及びこれらの混合物が挙げられる。
【００２５】
噴射剤としては、ジメチルエーテル、液化石油ガス、炭酸ガス、窒素ガス、圧縮空気、２，３−ジハイドロデカフロロペンタン、１，１−ジフルオロエタン、２，３，３，３−テトラフルオロプロペン、１，３，３，３−テトラフルオロプロペン等が挙げられる。
【００２６】
次に、噴射容器１の使用方法について、図２〜４を用いて説明する。
図２の噴射容器１は、レバー２０が操作されておらず、照射スイッチ３６及び噴射ボタン３８が押下されていない状態である。以下、図２の状態を「常態」という。図３は、噴射対象に向けて光を照射した状態を示す噴射装置１の部分断面図であり、図４は、噴射対象に向けて光を照射しつつ、内容物を噴射した状態を示す噴射装置１の部分断面図である。
常態の噴射容器１のレバー２０に手指を掛け、噴射ノズル２２を噴射対象に向け、レバー２０を矢印Ａの方向、即ち、容器本体３に近づく方向に操作する。レバー２０を矢印Ａの方向に操作すると、操作部１０は、支持軸２６を軸として回動して操作部１０ａの状態となり（図３）、照射スイッチ３６を押下し、光源１５を点灯させる。点灯した光源１５が発した光は、導光路１３内を伝播し、集光レンズ１４を経て、照射孔１２から照射光１７として照射方向Ｓで照射される。この際、噴射ボタン３８が押下されていないため、内容物は噴射されない（以上、照準操作）。
【００２７】
次いで、照射光１７を噴射対象に照射しながら、さらに、レバー２０を矢印Ｂの方向に操作して（図３）、支持軸２６を軸として、操作部１０ａを回動させて操作部１０ｂの状態とする（図４）。操作部１０ｂは、照射スイッチ３６を介して噴射ボタン３８を押下し、容器本体３内の内容液を噴射孔２１から噴射方向Ｆで噴射する。そして、内容液は、任意の形状で霧状に広がる噴射液２７となり、噴射対象に噴射される（噴射操作）。なお、この際、図４に示す照射方向Ｓ１は、図３に示す照射方向Ｓに比べて下方に傾斜するが、照準操作にて噴射対象を噴射範囲内に捉えているため、噴射液２７は、照準操作で決定された照射範囲に応じた噴射範囲に噴射される。
【００２８】
本実施形態によれば、内容物の噴射方向と略同方向に光を照射する光照射手段を備えているため、暗所や狭小部でも、噴射対象に対して内容物を正確に噴射できる。加えて、噴射対象から離れていても、噴射方向を噴射対象に合わせることができる。
さらに、照準操作と噴射操作とを１つのレバーの一連の操作により行えるため、より容易かつ正確に内容物を噴射対象に噴射できる。
【００２９】
本発明は上述の実施形態に限定されるものではない。
上述の実施形態では、エアゾール式の容器を用いているが、本発明はこれに限定されず、例えば、トリガーポンプを備える容器、即ち、レバーの操作によりポンプを作動させ、一定量の内容物を噴射するものであってもよい。なお、トリガーポンプを備える容器を用いる場合、内容物には噴射剤が含まれなくてよい。
【００３０】
上述の実施形態では、１つのレバーにより、照準操作と噴射操作とを行えるものであるが、本発明はこれに限定されず、照準操作と噴射操作とを、それぞれ異なるレバー、スイッチ又はボタン等の操作により行うものであってもよい。例えば、操作部に備えられたスイッチを押すことで光源を点灯させ、このスイッチを押したまま、レバーを操作して内容物を噴射するもの等が挙げられる。ただし、より容易かつ正確に内容物を噴射対象に噴射するためには、上述の実施形態のように１つのレバーの一連の操作により、照準操作と噴射操作とを行えるものが好ましい。
【００３１】
上述の実施形態では、照射部とレバーとが一体とされているが、本発明はこれに限定されず、照射部とレバーとは分離していてもよい。
【００３２】
上述の実施形態では、レバーの上部に照射部が備えられているが、本発明はこれに限定されず、例えば、照射部は容器本体に備えられていてもよいし、操作部の支持板に備えられていてもよい。また、照射部、レバー、噴射孔が一体となっていてもよい。ただし、容器本体を把持する際に障害になったり、レバーを操作する際に障害になったりすることを防止する観点からは、照射部はレバーの上部に備えられていることが好ましい。
【実施例】
【００３３】
以下、実施例を示して本発明を詳細に説明するが、本発明は以下の記載によって限定されるものではない。
【００３４】
（実施例１）
光源にＬＥＤ（製品名；ＯＳＨＲ５１６１Ａ−ＱＲ、色調；赤色、ドミナント波長（λｄ）；６２０〜６３０ｎｍ、標準光度；７ｃｄ、Ｏｐｔｏ  Ｓｕｐｐｌｙ  Ｌｉｍｉｔｅｄ製）を用い、図１の噴射容器１と同様の噴射容器を作製した。
薄明下に直径４２ｃｍの有底円筒形の容器を置き、この容器内にゴキブリ１匹を放ち、３０分以上放置して慣化させた。その後、ゴキブリが静止した時に、ゴキブリに対し噴射容器の光を照射（照射範囲；φ１０ｃｍ、ＬＥＤ通電条件；２４．５ｍＡ）し、ゴキブリの忌避行動が見られるまでの時間を計測した。忌避行動の観察は、ワモンゴキブリ、チャバネゴキブリ、クロゴキブリの３種類について、雄・雌各３匹に対し行った。忌避行動が見られるまでの時間（φ１０ｃｍの照射範囲から出るまでの時間）を下記忌避性判定基準に従って採点し、ゴキブリの種類毎の平均値を種類別忌避性とした。３種のゴキブリの種類別忌避性の平均値を下記総合判定基準に分類し、総合評価とした。これらの結果を表１に示す。
【００３５】
＜忌避性判定基準＞
５点：６０秒経過しても忌避行動が見られない。
４点：忌避行動までの時間が３０秒以上６０秒未満であった。
３点：忌避行動までの時間が１５秒以上３０秒未満であった。
２点：忌避行動までの時間が５秒以上１５秒未満であった。
１点：忌避行動までの時間が５秒未満であった。
【００３６】
＜総合評価判定基準＞
◎◎：種類別忌避性の平均（忌避性平均）が４．７点以上（忌避行動が認められない）。
◎：忌避性平均が４．０点以上４．７点未満（忌避行動が殆ど認められない）。
○：忌避性平均が３．０点以上４．０点未満（忌避行動がわずかに認められる）。
△：忌避性平均が２．０点以上３．０点未満（忌避行動が認められるが、実用上問題がない）。
×：忌避性平均が２．０点未満（明らかな忌避行動が認められる）。
【００３７】
（実施例２）
光源をＬＥＤ（製品名；ＯＳＨＲ５１１１Ａ−ＴＵ、色調；赤色、ドミナント波長（λｄ）；６２０〜６３０ｎｍ、標準光度；１２ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表１に示す。
【００３８】
（実施例３）
光源をＬＥＤ（製品名；ＯＳＲ５ＭＡ５１１１Ａ−ＶＷ、色調；赤色、ドミナント波長（λｄ）；６２０〜６３０ｎｍ、標準光度；１８ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表１に示す。
【００３９】
（実施例４）
光源をＬＥＤ（製品名；ＯＳＹＬ５１１１Ａ−ＴＵ、色調；黄色、ドミナント波長（λｄ）；５８５〜５９５ｎｍ、標準光度；１２ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表１に示す。
【００４０】
（実施例５）
光源をＬＥＤ（製品名；ＯＳＹＬ５１６１Ｐ、色調；黄色、ドミナント波長（λｄ）；５８５〜５９５ｎｍ、標準光度；１８ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表１に示す。
【００４１】
（実施例６）
光源をＬＥＤ（製品名；ＯＳＰＧ５１１１Ａ−ＶＷ、色調；緑色、ドミナント波長（λｄ）；５２０〜５３０ｎｍ、標準光度；１８ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表１に示す。
【００４２】
（実施例７）
光源をＬＥＤ（製品名；ＯＳＵＢ５１１Ａ、色調；青色、ドミナント波長（λｄ）；４６５−４７５ｎｍ、標準光度；７ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表２に示す。
【００４３】
（実施例８）
光源をＬＥＤ（製品名；ＯＳＵＢ５１１１Ａ−ＳＴ、色調；青色、ドミナント波長（λｄ）；４６５−４７５ｎｍ、標準光度；１０ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表２に示す。
【００４４】
（実施例９）
光源をＬＥＤ（製品名；ＯＳＳＶ５１１１Ａ、色調；紫色、ピーク波長（λｐ）；４００ｎｍ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表２に示す。
【００４５】
（実施例１０）
光源をＬＥＤ（製品名；ＯＳＰＷ５１１１Ｂ−ＱＲ、色調；白色、ドミナント波長（λｄ）；４００−６３０ｎｍ、標準光度；７ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表２に示す。
【００４６】
（実施例１１）
光源をＬＥＤ（製品名；ＮＳＰＷ５００ＣＳ、色調；白色、ドミナント波長（λｄ）；４００−６３０ｎｍ、標準光度；１８ｃｄ、日亜化学工業株式会社製）とした以外は、実施例１と同様にして噴射容器を作製し、ゴキブリの忌避行動を観察した。その結果を表２に示す。
【００４７】
（実施例１２）
光源をＬＥＤ（製品名；ＯＳＰＷ５１１１Ａ−Ｚ３、色調；白色、ドミナント波長（λｄ）；４００−６３０ｎｍ、標準光度；３０ｃｄ、Ｏｐｔｏ  Ｓｕｐｐｌｙ  Ｌｉｍｉｔｅｄ製）とした以外は、実施例１と同様にして噴射容器を作製し、ゴキブリの忌避行動を観察した。その結果を表２に示す。
【００４８】
【表１】
0005707070.tif 000002
【００４９】
【表２】
0005707070.tif 000003
【００５０】
表１〜２の実施例１〜１２に示すように、光源を赤色、黄色、緑色、青色、紫色、白色のいずれとしても、ゴキブリに照準を合わせてから、殺虫剤を噴射するのに必要な時間を確保できることが判った。
中でも、光源を赤色、黄色、緑色、白色とした場合、光源を青色、紫色とした場合に比べて、ゴキブリが忌避行動を起こすまでの時間が相対的に長かった。特に、光源を赤色、黄色又は緑色とした実施例１〜６は、いずれも総合評価が「○」、「◎」又は「◎◎」であった。
【００５１】
（実施例１３）
実施例３で作製した噴霧容器に、エアゾール原液（有効成分；イミプロトリン０．２５ｇ／１００ｃｍ３、溶媒：灯油）９０ｃｍ３と、噴射剤（ＬＰＧ）２１０ｃｍ３との混合物を内容物として充填し、容器入り殺虫剤とした。
ゴキブリが視認できる程度に調整した薄明下の試験室（６畳）にクロゴキブリ１匹を放ち、クロゴキブリとの距離が、常時、表中の「噴射距離」となるようにし、殺虫剤を噴射した。噴射開始からクロゴキブリがノックダウンするまでの時間（噴射時間）を測定した。これを３回繰り返し、その平均値を表３に示す。
【００５２】
（比較例１）
容器入り殺虫剤を市販のエアゾール式殺虫剤Ａに換えた以外は、実施例１３と同様にして、噴射時間を測定し、その結果を表３に示す。
【００５３】
（比較例２）
容器入り殺虫剤を市販のエアゾール式殺虫剤Ｂに換えた以外は、実施例１３と同様にして、噴射時間を測定し、その結果を表３に示す。
【００５４】
【表３】
0005707070.tif 000004
【００５５】
表３に示すように、本発明を適用した実施例１３は、いずれの噴射距離であっても、市販のエアゾール式殺虫剤Ａ、Ｂよりも短持間でゴキブリをノックダウンできた。
この結果から、本発明を適用した容器入り殺虫剤は、駆除対象へ容易かつ正確に照準を合わせられることが判った。
【符号の説明】
【００５６】
１      噴射容器
２      噴射ユニット
３      容器本体
１０    操作部
１１    照射部
１２    照射孔
２０    レバー
２１    噴射孔
２２    噴射ノズル
Ｆ      噴射方向
Ｓ、Ｓ１  照射方向
【図１】
0005707070.tif 000005
【図２】
0005707070.tif 000006
【図３】
0005707070.tif 000007
【図４】
0005707070.tif 000008